(57)【要約】【課題】  つま先立ち歩きはふくらはぎなど脚の筋肉を鍛え、血液やリンパの循環を良くすることが知られているが、筋力不足や姿勢バランスが悪いためにつま先立ち歩きをすることができない人が特に高齢者には多くみられる。また、歩行時に踵から着地し、踵に全体重以上の重力がかかる歩き方をする人は、着地時の衝撃が直接脛骨に伝わるため、膝関節に過度の負担を与え、膝関節を痛めるおそれがある。このような人が、靴や靴下の中に本インソールを挿入することによりつま先立ち歩きができるようにする。【解決手段】爪先から踵に向かって厚くなり、かつ、踵の手前までの長さの左右一対のインソールである。【選択図】図１
2019037733.tif 000002
【特許請求の範囲】
【請求項１】
靴（５）や靴下（６）の中に挿入使用するインソールにおいて、当該インソール（１）は踵部が欠損しており、かつ足尖部側の厚さよりも踵側の厚さが大きいことを特徴とするかかとのないインソール。
【請求項２】
全長（２）をＬｓ、最大幅（３）をＬｗとしたとき、０．４０Ｌｓ＜Ｌｗ＜０．７０Ｌｓである請求項１記載のかかとのないインソール。
【請求項３】
踵側端の厚さ（４）をＴｈとしたとき、１０ｍｍ＜Ｔｈ＜３０ｍｍであることを特徴とする請求項１記載のかかとのないインソール。
【請求項４】
踵側縁の形状が後側に向かって凹である請求項１記載のかかとのないインソール。
【請求項５】
全長（２）をＬｓ、最大幅（３）をＬｗとしたとき、０．４０Ｌｓ＜Ｌｗ＜０．７０Ｌｓである請求項４記載のかかとのないインソール。
【請求項６】
踵側端の厚さ（４）をＴｈとしたとき、１０ｍｍ＜Ｔｈ＜３０ｍｍであることを特徴とする請求項４記載のかかとのないインソール。
【発明の詳細な説明】
【技術分野】
【０００１】  本発明は、つま先立ち歩きができるようにするためのインソールに関するものである。
【背景技術】
【０００２】  変形性膝関節症の治療または進行予防には膝周りの筋肉を強化することが重要であるが、つま先立ち歩きは脚の筋肉を鍛えるために有用な方法であり、また着地時に踵に衝撃が加わる歩き方をする人にとっては着地時の衝撃を減らし、膝に負担を掛けないという点で望ましい歩き方である。しかし、脚の筋肉が少ない人にとってはつま先立ち歩きを行うことは難しい。【０００３】  歩行時の衝撃計測方法は非特許文献１にも開示されており、そこでは第３腰椎における加速度値が歩行時の衝撃と相関が良いとされている。【０００４】  現在提供されている踵のないサンダルは室内での使用には適するが、外出時は安全性の観点から使用に適さない。また、途中で疲労のために使用中止したい場合、サンダルを脱ぐしか方法がなく、この点でも外出での使用に適さない。
【先行技術文献】
【非特許文献】
【０００５】
【非特許文献１】保健医療学雑誌６（１）：１０−１４，２０１５
【発明の概要】
【発明が解決しようとする課題】
【０００６】  踵がないサンダルは下肢筋力増強効果があることが広く知られている。しかし、このサンダルを外出先で使用する場合、疲労等により使用困難な状況が生じたときには、当該サンダルを脱ぐことしか対処する方法がなかった。このため外出時には別に踵のあるサンダルまたは靴を常に携行しなければならなかった。
【課題を解決するための手段】
【０００７】  本発明に係るインソール（１）は、踵部が欠損しており、かつ足尖部側の厚さよりも踵側の厚さが大きい。全長（２）をＬｓ、最大幅（３）をＬｗとしたとき０．４０Ｌｓ＜Ｌｗ＜０．７０Ｌｓ、踵側端の厚さ（４）をＴｈとしたとき、１０ｍｍ＜Ｔｈ＜３０ｍｍである。踵側縁の形状を後側に向かって凹にすると、過重が内側から外側まで均等に加わり左右方向の安定性が更に向上する。
【発明の効果】
【０００８】  本発明に係るインソール（１）は、靴（５）内に挿入して外出先で使用中に、疲労等により使用困難な状況が生じた場合においてもインソールを外すだけで対処できるため、ほかにサンダルや靴を常に携行する必要がない。さらに靴（５）からインソールを取り出して靴下（６）内に入れ替えるだけで、引き続いて同一インソールを室内でも使用することが可能である。【０００９】  また、従来のインソールは足底に略フィットするものであり、健常足に使用するものとしては歩行時に大きな力が加わる踵部側が大きく欠損するインソールは論外であった。インソールがない場合と本発明に係るインソール（１）とを使用した場合とで、歩行時に膝関節に加わる負荷を実際に計測した。膝関節に加わる負荷を計測する方法は数多くあるが、非観血的方法として加速度センサーによる方法を用いた。膝関節に加わる負荷は膝より上部に相当する体幹の重心の垂直方向加速度と相関すると想定し、加速度計を第３腰椎近傍に設置し、計測間隔０．０１秒で１秒ごとのピークホールドモードで最大加速度値変化を記録した。この結果、図８に示すように、インソールを使用しない場合に比べて本発明に係るインソール（１）を使用した場合には、膝関節に加わる負荷の最大値の平均は踵側端の厚さ（４）をＴｈとしたとき、Ｔｈ＝１０ｍｍのインソールの場合約７２％、Ｔｈ＝３０ｍｍのインソールの場合約６４％に軽減していた。本実験結果により、本発明に係るインソール（１）は膝関節に加わる負荷を軽減する効果も有すると考えられた。【００１０】  図７に示すように、本発明に係るインソール（１）踵側縁の形状を請求項４のように後側に向かって凹にすると過重が内側から外側まで均等に加わるようになるため、足底中心線を軸としたぐらつきが少なくなり、装着時の安定性がより向上する効果を有することが判明した。【００１１】  以上より、本発明に係るインソール（１）は次の３つの効果が同時に生じることが最大の特徴である。すなわち、▲１▼下肢筋力の増強効果、▲２▼外出中に使用困難となった場合に容易に対処できること、▲３▼歩行時に膝関節に加わる衝撃を低減する効果、である。
【図面の簡単な説明】
【００１２】
【図１】  本発明に係るインソール（１）の斜視図。
【図２】  本発明に係るインソール（１）の平面図。
【図３】  本発明に係るインソール（１）の側面図。
【図４】  本発明に係るインソール（１）に補助板（９）を付加したときの側面図。
【図５】  本発明に係るインソール（１）を靴（５）に挿入し、使用する状態図。
【図６】  本発明に係るインソール（１）を靴下（６）内に挿入し、使用する状態図。
【図７】  本発明請求項４に係る後縁形状を有するインソール（１）の上面図。
【図８】  本発明に係るインソール（１）有無による膝関節衝撃測定結果の例。縦軸は加速度（Ｇ）。各グラフにおいて４本の折れ線はそれぞれＸ，Ｙ，Ｚ方向の加速度および合力を示し、最も値が大きい折れ線が合力を表す。踵側端の厚さ（４）が１０ｍｍおよび３０ｍｍいずれにおいてもインソールなしの場合は最大加速度が２Ｇ（重力加速度の２倍）を超える衝撃があり、インソールありの場合は２Ｇを超えることはなかった。加速度計装着部位は非特許例１に開示された方法にもとづいて第３腰椎部近傍とした。
【発明を実施するための形態】
【００１３】  図１、図２、図３はそれぞれ順に本発明に係るインソール（１）の斜視図および平面図および側面図を示す。本発明に係るインソール（１）はかかとがなく、インソール（１）の全長（２）をＬｓ、最大幅（３）をＬｗとしたとき、請求項２の式０．４０Ｌｓ＜Ｌｗ＜０．７０Ｌｓ、を満たすときに本発明の効果が十分となる。また、インソール（１）の踵側端の厚さ（４）をＴｈとしたとき、請求項３の式１０ｍｍ＜Ｔｈ＜３０ｍｍを満たすときに本発明の効果が十分となる。請求項２の式の下限に満たない場合には最も体重がかかる踵骨隆起内側突起（７）近傍にまでインソールがかかって本発明の効果が不十分となり、上限を超えた場合にはインソール後縁が中足骨（８）に近くなりすぎて使用時に不安定になる。請求項３の式の下限に満たない場合は足底アーチの凹面形状により本発明の効果が不十分となり、上限を超えた場合は靴に挿入して使用することが困難となる。図４に示すように使用時に補助板（９）を１枚または複数枚貼り付けてＴｈを請求項３の式１０ｍｍ＜Ｔｈ＜３０ｍｍを満たす範囲内で任意の値に調整して使用することもでき、厚さ可変のインソールを実現することも可能である。
【００１４】  図５ないし図６は本発明に係るインソール（１）の使用例を示す。図５は本発明に係るインソール（１）を靴（５）内に配置して使用する状態を示し、図６は本発明に係るインソール（１）を靴下（６）内に配置して使用する状態を示す。使用時に両面テープ等の粘着性を有する部材でインソールを靴（５）または靴下（６）や足底に対して半固定状態とすることで歩行時のずれを軽減することも可能である。足底に直接固定する場合は病原性やアレルギー原性を有しない成分からなる粘着剤を使用することが望ましい。
【００１５】  図７に示すように、本発明に係るインソール（１）の踵側縁の形状を請求項４のように後側に向かって凹にすると過重が内側から外側まで均等に加わるようになり、足底中心線を軸としたぐらつきが少なくなるため、装着時の安定性がより向上する。逆に踵側縁の形状が後側に向かって凸の場合は、あたかも幅が狭い平均台の上で片足立ちするような不安定さが伴い、歩行時に転倒等の有害事象が起こりやすくなる。
【符号の説明】
【００１６】１  本発明に係るインソール
２  全長
３  最大幅
４  踵側端の厚さ
５  靴
６  靴下
７  踵骨隆起内側突起
８  中足骨
９  補助板
【図１】
2019037733.tif 000003
【図２】
2019037733.tif 000004
【図３】
2019037733.tif 000005
【図４】
2019037733.tif 000006
【図５】
2019037733.tif 000007
【図６】
2019037733.tif 000008
【図７】
2019037733.tif 000009
【図８】
2019037733.tif 000010